(57)【要約】【課題】複数のユーザーが共有するプリンタ等で、ユーザー単位別などに仕分けが必要な出力物を、大幅なコストアップをすることなく容易に選別可能とする。【解決手段】各記録媒体保持部（カセット、オートシートフィーダ）は、収容する記録媒体の収容位置（オフセット量）が変更可能な構造であり、各記録媒体保持部の収容位置は予め異なるようにユーザが設定でき、設定された収容位置は自動検知できる構成となっている。そこで、仕分けが必要な場合には、印刷ジョブに従い、収容位置の異なる各記録媒体保持部を交互に選択して給紙に用い、各記録媒体保持部の収容位置に応じて、記録開始位置をずらして記録することにより、ユーザー単位別に容易に仕分けができる。【選択図】図６
2004338278.tif 000002
【特許請求の範囲】
【請求項１】
入力される画像データに基づいて記録媒体に画像を記録して出力する画像記録装置であって、
記録媒体を収容する第１の収容ユニットと、
前記第１の収容ユニットに収容された記録媒体を搬送する方向の直交方向に対して、所定のオフセット量ずらして記録媒体を収容する第２の収容ユニットと、
前記画像の記録の際に、前記第１および前記第２のいずれの収容ユニットから記録媒体が供給されるかに応じて、前記記録媒体を搬送する方向の直交方向における前記画像の記録を開始する初期位置を制御する制御手段と、
を有することを特徴とする画像記録装置。
【請求項２】
前記記録装置は、所定方向に配列された複数の記録素子を有する記録ヘッドを搭載したキャリッジを、前記記録素子の配列方向と直交する方向に記録媒体上で走査させて記録を行う画像記録装置であって、前記第２の収容ユニットに収容される記録媒体は、前記第１の収容ユニットに収容された記録媒体に対して前記走査方向に所定のオフセット量ずらして収容されており、前記制御手段は、前記第１および前記第２の収容ユニットのいずれの収容ユニットから記録媒体が供給されるかに応じて、前記記録ヘッドを走査して前記画像の記録を開始する初期位置を変更することを特徴とする請求項１に記載の画像記録装置。
【請求項３】
前記オフセット量を検出するオフセット量検出手段をさらに有し、前記制御手段は、前記検出されたオフセット量に応じて前記記録ヘッドが記録を開始する前記走査方向の初期位置を変更することを特徴とする請求項２に記載の画像記録装置。
【請求項４】
前記オフセット量を入力するオフセット量入力手段をさらに有し、前記制御手段は、前記入力されたオフセット量に応じて前記記録ヘッドが記録開始する前記走査方向の初期位置を変更することを特徴とする請求項２に記載の画像記録装置。
【請求項５】
前記入力される画像データに基づいて、前記第１および前記第２の収容ユニットのいずれかかの収容ユニットを選択して収容されている記録媒体を前記画像の記録のために供給する記録媒体供給手段をさらに有することを特徴とする請求項２に記載の画像記録装置。
【請求項６】
前記記録媒体供給手段は、前記入力される画像データが同一画像を複数部記録する情報を含む場合には、前記同一画像を１部記録するごとに前記選択する収容ユニットを変更することを特徴とする請求項５に記載の画像記録装置。
【請求項７】
前記第１および前記第２の収容ユニットはそれぞれ記録媒体を収容する位置を変更する変更手段をさらに有することを特徴とする請求項５に記載の画像記録装置。
【請求項８】
前記記録ヘッドは、熱エネルギーを利用してインクを吐出して記録を行うインクジェット記録ヘッドであって、インクに与える熱エネルギーを発生するための熱エネルギー変換体を備えていることを特徴とする請求項２に記載の画像記録装置。
【請求項９】
入力される画像データに基づいて記録媒体に画像を記録して出力する画像記録装置の制御方法であって、
前記画像記録装置は、
記録媒体を収容する第１の収容ユニットと、
前記第１の収容ユニットに収容された記録媒体を搬送する方向の直交方向に対して、所定のオフセット量ずらして記録媒体を収容する第２の収容ユニットと、を有し、
前記画像の記録の際に、前記第１および前記第２のいずれの収容ユニットから記録媒体が供給されるかに応じて、前記搬送する方向の直交方向における前記画像の記録を開始する初期位置を制御する制御工程を有することを特徴とする画像記録装置の制御方法。
【請求項１０】
入力される画像データに基づいて記録媒体に画像を記録して出力する画像記録装置を制御する制御プログラムであって、
前記画像記録装置は、
記録媒体を収容する第１の収容ユニットと、
前記第１の収容ユニットに収容された記録媒体を搬送する方向の直交方向に対して、所定のオフセット量ずらして記録媒体を収容する第２の収容ユニットと、を有し、
前記制御プログラムは、
前記画像の記録の際に、前記第１および前記第２のいずれの収容ユニットから記録媒体が供給されるかに応じて、前記搬送する方向の直交方向における前記画像の記録を開始する初期位置を制御する制御工程を有することを特徴とする画像記録装置を制御する制御プログラム。
【発明の詳細な説明】
【０００１】
【発明の属する技術分野】
本発明は、画像記録装置、その制御方法および制御プログラムに関し、特に、ユーザー単位別に、ジョブ単位別に、あるいは部数単位別に仕分けが必要な出力物を容易に選別することができる画像記録装置、その制御方法および制御プログラムに関する。
【０００２】
【従来の技術】
複数のユーザーが共同で使用するプリンタ（以下、共有プリンタという）では、各ユーザーは、共有プリンタによって出力された種々の出力物の中から自分が印刷した出力物を判別して抜き出す作業が必要である。また、個人用で使用するプリンタであっても、プリンタで出力する出力物を複数部を印刷する場合には、出力した出力物を部単位で仕分けする作業が必要である。
【０００３】
従来このような、共有プリンタで出力した多量の出力物の中から自分が印刷した出力物を判別して抜き出す作業や、個人用のプリンタで複数部出力した出力物を部単位で仕分けする作業は煩雑であったため、種々の工夫が行われていた。例えば、プリンタに出力ビンを複数設け、ユーザー毎に、あるいはジョブ毎に、部単位で出力先を変更する方法（第１の方法）や、出力先は一カ所であっても、出力結果を若干ずらすなどして、判別を容易にする方法（第２の方法）があった。
【発明の解決しようとする課題】
しかしながら、上記説明した方法には、下記に示す問題があった。例えば、出力先を複数持たす第１の方法では、その機構が大がかりとなり、出力結果をずらす第２の方法では、出力部分にそれなりの大がかりな機構を必要とするためこれらの機構を追加で設けたプリンタは、この機構を設けないプリンタに比べてコストアップとなった。
【０００４】
本発明は上記説明した従来技術の問題点を解決するためになされたものであり、その目的は、ユーザー単位別に、ジョブ単位別に、あるいは部数単位別に仕分けが必要な出力物を、大幅なコストアップをすることなく、容易に選別することができる機能を備えた画像記録装置及びその制御方法を提供することである。
【０００５】
【課題を解決するための手段】
上記目的を達成するための本発明に係る一実施形態の画像記録装置は、以下の構成を有する。すなわち、入力される画像データに基づいて記録媒体に画像を記録して出力する画像記録装置であって、記録媒体を収容する第１の収容ユニットと、前記第１の収容ユニットに収容された記録媒体を搬送する方向の直交方向に対して、所定のオフセット量ずらして記録媒体を収容する第２の収容ユニットと、前記画像の記録の際に、前記第１および前記第２のいずれの収容ユニットから記録媒体が供給されるかに応じて、前記記録媒体を搬送する方向の直交方向における前記画像の記録を開始する初期位置を制御する制御手段と、を有することを特徴とする。
【０００６】
このため、本画像記録装置は、あらかじめオフセットされてセットされている記録媒体を記録データに応じて適切に選択し、選択された記録媒体に合わせて記録位置を調整してから記録し排紙することができるので、簡単な構造でありながら複雑な機構を必要とする排紙時オフセットと同様の効果を容易にもたらすことができる。
【０００７】
上記目的を達成するための本発明に係る一実施形態の画像記録装置の制御方法は、以下の構成を有する。すなわち、入力される画像データに基づいて記録媒体に画像を記録して出力する画像記録装置の制御方法であって、前記画像記録装置は、記録媒体を収容する第１の収容ユニットと、前記第１の収容ユニットに収容された記録媒体を搬送する方向の直交方向に対して、所定のオフセット量ずらして記録媒体を収容する第２の収容ユニットと、を有し、前記画像の記録の際に、前記第１および前記第２のいずれの収容ユニットから記録媒体が供給されるかに応じて、前記搬送する方向の直交方向における前記画像の記録を開始する初期位置を制御する制御工程を有することを特徴とする。
【０００８】
上記目的を達成するための本発明に係る一実施形態の画像記録装置を制御する制御プログラムは、以下の構成を有する。すなわち、入力される画像データに基づいて記録媒体に画像を記録して出力する画像記録装置を制御する制御プログラムであって、前記画像記録装置は、記録媒体を収容する第１の収容ユニットと、前記第１の収容ユニットに収容された記録媒体を搬送する方向の直交方向に対して、所定のオフセット量ずらして記録媒体を収容する第２の収容ユニットと、を有し、前記制御プログラムは、前記画像の記録の際に、前記第１および前記第２のいずれの収容ユニットから記録媒体が供給されるかに応じて、前記搬送する方向の直交方向における前記画像の記録を開始する初期位置を制御する制御工程を有することを特徴とする。
【０００９】
【発明の実施の形態】
以上説明したように本発明は様々な態様によって実施されるが、これらの態様のおのおのは、さらに具体的に言えば、以下のような構成を持つことが望ましい。
【００１０】
ここで、例えば、前記記録装置は、所定方向に配列された複数の記録素子を有する記録ヘッドを搭載したキャリッジを、前記記録素子の配列方向と直交する方向に記録媒体上で走査させて記録を行う画像記録装置であって、前記第２の収容ユニットに収容される記録媒体は、前記第１の収容ユニットに収容された記録媒体に対して前記走査方向に所定のオフセット量ずらして収容されており、前記制御手段は、前記第１および前記第２の収容ユニットのいずれの収容ユニットから記録媒体が供給されるかに応じて、前記記録ヘッドを走査して前記画像の記録を開始する初期位置を変更することが好ましい。
【００１１】
ここで、例えば、前記オフセット量を検出するオフセット量検出手段をさらに有し、前記制御手段は、前記検出されたオフセット量に応じて前記記録ヘッドが記録開始する前記走査方向の初期位置を変更することが好ましい。
【００１２】
ここで、例えば、前記オフセット量を入力するオフセット量入力手段をさらに有し、前記制御手段は、前記入力されたオフセット量に応じて前記記録ヘッドが記録開始する前記走査方向の初期位置を変更することが好ましい。
【００１３】
ここで、例えば、前記入力される画像データに基づいて、前記第１および前記第２の収容ユニットのいずれかかの収容ユニットを選択して収容されている記録媒体を前記画像の記録のために供給する記録媒体供給手段をさらに有することが好ましい。
【００１４】
ここで、例えば、前記記録媒体供給手段は、前記入力される画像データが同一画像を複数部記録する情報を含む場合には、前記同一画像を１部記録するごとに前記選択する収容ユニットを変更することが好ましい。
【００１５】
ここで、例えば、前記第１および前記第２の収容ユニットはそれぞれ記録媒体を収容する位置を変更する変更手段をさらに有することが好ましい。
【００１６】
ここで、例えば、前記記録ヘッドは、熱エネルギーを利用してインクを吐出して記録を行うインクジェット記録ヘッドであって、インクに与える熱エネルギーを発生するための熱エネルギー変換体を備えていることが好ましい。
【００１７】
以下添付図面を参照して本発明の好適な実施形態について、さらに具体的にかつ詳細に説明する。なお、以下に説明する実施形態では、インクジェット記録方式を用いた記録装置であるプリンタを例に挙げ説明する。
【００１８】
本明細書において、「記録」（「プリント」「記録」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も示すものとする。
【００１９】
また、「記録媒体」とは、一般的な記録装置で用いられる紙のみならず、広く、布、プラスチック・フィルム、金属板、ガラス、セラミックス、木材、皮革等、インクを受容可能なものも示すものとする。
【００２０】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を示すものとする。
【００２１】
＜第１の実施形態＞
［インクジェットプリンタ本体の概略説明：図１２］
図１２は、本発明の代表的な実施の形態であるインクジェットプリンタＩＪＲＡの構成の概要を示す外観斜視図である。図１２において、駆動モータ５０１３の正逆回転に連動して駆動力伝達ギア５００９〜５０１１を介して回転するリードスクリュー５００５の螺旋溝５００４に対して係合するキャリッジＨＣはピン（不図示）を有し、ガイドレール５００３に支持されて矢印ａ，ｂ方向を往復移動する。キャリッジＨＣには、記録ヘッドＩＪＨとインクタンクＩＴとを内蔵した一体型インクジェットカートリッジＩＪＣが搭載されている。
【００２２】
５００２は紙押え板であり、キャリッジＨＣの移動方向に亙って記録用紙Ｐをプラテン５０００に対して押圧する。５００７，５００８はフォトカプラで、キャリッジのレバー５００６のこの域での存在を確認して、モータ５０１３の回転方向切り換え等を行うためのホームポジション検知器である。
【００２３】
５０１６は記録ヘッドＩＪＨの前面をキャップするキャップ部材５０２２を支持する部材で、５０１５はこのキャップ内を吸引する吸引器で、キャップ内開口５０２３を介して記録ヘッドの吸引回復を行う。５０１７はクリーニングブレードで、５０１９はこのブレードを前後方向に移動可能にする部材であり、本体支持板５０１８にこれらが支持されている。ブレードは、この形態でなく周知のクリーニングブレードが本例に適用できることは言うまでもない。
【００２４】
又、５０２１は、吸引回復の吸引を開始するためのレバーで、キャリッジと係合するカム５０２０の移動に伴って移動し、駆動モータからの駆動力がクラッチ切り換え等の公知の伝達機構で移動制御される。
【００２５】
これらのキャッピング、クリーニング、吸引回復は、キャリッジがホームポジション側の領域に来た時にリードスクリュー５００５の作用によってそれらの対応位置で所望の処理が行えるように構成されているが、周知のタイミングで所望の動作を行うようにすれば、本例にはいずれも適用できる。
【００２６】
［制御構成の説明：図１３］
次に、上述したインクジェットプリンタの記録制御を実行するための制御構成について説明する。
【００２７】
図１３はインクジェットプリンタＩＪＲＡの制御回路の構成を示すブロック図である。制御回路を示す同図において、１７００は記録信号を入力するインターフェース、１７０１はＭＰＵ、１７０２はＭＰＵ１７０１が実行する制御プログラムを格納するＲＯＭ、１７０３は各種データ（上記記録信号やヘッドに供給される記録データ等）を保存しておくＤＲＡＭである。１７０４は記録ヘッドＩＪＨに対する記録データの供給制御を行うゲートアレイ（Ｇ．Ａ．）であり、インターフェース１７００、ＭＰＵ１７０１、ＲＡＭ１７０３間のデータ転送制御も行う。１７１０は記録ヘッドＩＪＨを搬送するためのキャリアモータ、１７０９は記録紙搬送のための搬送モータである。１７０５は記録ヘッドを駆動するヘッドドライバ、１７０６，１７０７はそれぞれ搬送モータ１７０９、キャリアモータ１７１０を駆動するためのモータドライバである。１７１１は、後述するオートシートフィーダやカセットなどの記録媒体保持部に収容された記録媒体のオフセット量を検出する記録媒体のオフセット量検出部である。
【００２８】
上記制御構成の動作を説明すると、インターフェース１７００に記録信号が入るとゲートアレイ１７０４とＭＰＵ１７０１との間で記録信号がプリント用の記録データに変換される。そして、モータドライバ１７０６、１７０７が駆動されると共に、ヘッドドライバ１７０５に送られた記録データに従って記録ヘッドが駆動され、記録が行われる。
【００２９】
ここでは、ＭＰＵ１７０１が実行する制御プログラムをＲＯＭ１７０２に格納するものとしたが、ＥＥＰＲＯＭ等の消去／書き込みが可能な記憶媒体を更に追加して、インクジェットプリンタＩＪＲＡと接続されたホストコンピュータから制御プログラムを変更できるように構成することもできる。
【００３０】
なお、上述のように、インクタンクＩＴと記録ヘッドＩＪＨとは一体的に形成されて交換可能なインクカートリッジＩＪＣを構成しても良いが、これらインクタンクＩＴと記録ヘッドＩＪＨとを分離可能に構成して、インクがなくなったときにインクタンクＩＴだけを交換できるようにしても良い。
【００３１】
［インクカートリッジ：図１４］
図１４は、インクタンクとヘッドとが分離可能なインクカートリッジＩＪＣの構成を示す外観斜視図である。インクカートリッジＩＪＣは、図１４に示すように、境界線Ｋの位置でインクタンクＩＴと記録ヘッドＩＪＨとが分離可能である。インクカートリッジＩＪＣにはこれがキャリッジＨＣに搭載されたときには、キャリッジＨＣ側から供給される電気信号を受け取るための電極（不図示）が設けられており、この電気信号によって、前述のように記録ヘッドＩＪＨが駆動されてインクが吐出される。なお、図１４において、５００はインク吐出口列である。また、インクタンクＩＴにはインクを保持するために繊維質状もしくは多孔質状のインク吸収体が設けられている。
【００３２】
［記録媒体保持部：図１］
次に、本インクジェットプリンタの記録ヘッドに記録媒体である記録用紙を供給する記録媒体保持部について説明する。本インクジェットプリンタには、図１に一例を示すように、たとえば、３つの記録媒体保持部（収容ユニット）、すなわち、１つはオートーシートフィーダー１０２、他の２つはカセット１０３ａ，１０３ｂが備えられており、記録媒体保持部から供給される記録用紙は、図１２で示したプラテン５０００に供給される。なお、カセット１０３ａ，１０３ｂは図１２には図示されていない。また、図１では、後述するオフセット量が変更可能な３つの複数の記録媒体保持部を有するインクジェットプリンタを示した一例であるが、記録媒体保持部の設置数は３つに限ることはなく、２つであっても、４つ以上であってもよい。
【００３３】
［オートーシートフィーダへ記録媒体のセット：図２、図３］
図２は、第１の記録媒体保持部であるオートシートフィーダ１０２へ、たとえば、Ａ４記録用紙などの記録媒体２０４を所定の位置にセット方法を説明する概略図である。オートシートフィーダ１０２は、記録媒体オフセット部２０２と紙押さえ版２０３が備えられ、ユーザは以下の手順にしたがって、記録媒体２０４を記録媒体オフセット部２０２と紙押さえ版２０３の間にセットする。まず、ユーザは記録媒体オフセット部２０２を、所定の位置にセットする。図２は、その一例として、記録ヘッドを走査する主走査方向（Ｘ方向）がＸ０の位置であるオフセット量２０５（オフセット量＝０ｍｍの位置と定義する）に記録媒体オフセット部２０２をセットする。次にユーザは、紙押さえ版２０３を、例えば、図２のＸの位置に一旦セットし、この状態で記録媒体２０４を記録媒体オフセット部２０２と紙押さえ版２０３の間にセットし、その後、紙押さえ版２０３を図の矢印の方向（主走査方向の往路方向）へ移動させながら、記録媒体２０４が記録媒体オフセット部２０２と紙押さえ版２０３の間に隙間無く収まるようにすることによりオフセット量＝０ｍｍの位置でオートシートフィーダーへの記録媒体２０４のセットを完了する。
【００３４】
次に、ユーザが、所定量オフセットさせて記録媒体２０４をオートシートフィーダ１０２へセットする方法について説明する。図３は、その一例として、記録ヘッドを走査する主走査方向（Ｘ方向）がＸ１０の位置であるオフセット量２０６（オフセット量＝１０ｍｍ）に記録媒体オフセット部２０２をセットする例である。ユーザは、オフセット量２０６に記録媒体オフセット部２０２をオフセットさせてから、図２と同様に記録媒体２０４を記録媒体オフセット部２０２と紙押さえ版２０３の間にセットする。このようにして、ユーザは、オートシートフィーダーの任意の位置に記録媒体２０４をセットすることができる。ここで、ユーザによりオートシートフィーダ１０２へセットされたオフセット量は不図示の検出手段により自動検出されインクジェットプリンタに送信されるが、オートシートフィーダ１０２へセットされたオフセット量をユーザがインクジェットプリンタの所定画面から入力するようにしてもよい。
【００３５】
［カセットへ記録媒体のセット：図４、図５］
図４は、第２の記録媒体保持部であるカセット１０３ａへ、たとえば、Ａ４記録用紙などの記録媒体２０４を所定の位置にセット方法を説明する概略図である。カセット１０３ａには、記録媒体オフセット部４０２と紙押さえ版４０３ａ，紙押さえ版４０３ｂが備えられ、ユーザは以下の手順にしたがって、記録媒体２０４を記録媒体オフセット部４０２と紙押さえ版４０３ａ，紙押さえ版４０３ｂの間にセットする。まず、ユーザは記録媒体オフセット部４０２を、所定の位置にセットする。図２は、その一例として、記録ヘッドを走査する主走査方向（Ｘ方向）がＸ０の位置であるオフセット量４０５（オフセット量＝０ｍｍの位置と定義する）に記録媒体オフセット部４０２をセットする。次にユーザは、紙押さえ版４０３ａを、例えば、図４のＸの位置に一旦セットし、この状態で記録媒体２０４を記録媒体オフセット部４０２と紙押さえ版４０３ａの間にセットし、その後、紙押さえ版４０３ａを図の矢印の方向（主走査方向の往路方向）へ移動させながら、記録媒体２０４が記録媒体オフセット部４０２と紙押さえ版４０３ａの間に隙間無く収まるようにすることによりオフセット量＝０ｍｍの位置でカセット１０３ａへの記録媒体２０４のセットを完了する。
【００３６】
次に、ユーザが、所定量オフセットさせて記録媒体２０４をカセット１０３ａへセットする方法について説明する。図５は、その一例として、記録ヘッドを走査する主走査方向（Ｘ方向）がＸ２０の位置であるオフセット量４０７（オフセット量＝２０ｍｍ）に記録媒体オフセット部４０２をセットする例である。ユーザは、オフセット量４０７に記録媒体オフセット部４０２をオフセットさせてから、図４と同様に記録媒体２０４を記録媒体オフセット部４０２と紙押さえ版４０３ａの間にセットする。このようにして、ユーザは、カセット１０３ａの任意の位置に記録媒体２０４をセットすることができる。また同様にして、ユーザは、カセット１０３ｂの任意の位置に記録媒体２０４をセットすることができる。なお、ユーザによりカセット１０３ａ、カセット１０３ｂへセットされたオフセット量はそれぞれ記録媒体のオフセット量検出部１７１１により自動検出されインクジェットプリンタに送信され給紙元オフセット量テーブルに格納されるが、カセット１０３ａ、カセット１０３ｂへセットされたオフセット量をユーザがインクジェットプリンタの所定画面から入力することにより給紙元オフセット量テーブルに格納するようにしてもよい。
【００３７】
［主走査方向の複数の位置への記録媒体のセット：図６］
図６は本実施形態のインクジェットプリンタの第１および第２の記録媒体保持部であるオートシートフィーダー１０２とカセット１０３ａ、１０３ｂにそれぞれ記録媒体２０４を所定量ずつオフセットさせてセットした状態を表した図である。すなわち、第１の記録媒体保持部であるオートシートフィーダー１０２には、Ｘ１０の位置（オフセット量＝１０ｍｍ）に記録媒体２０４ａがセットされ、第２の記録媒体保持部であるカセット１０３ａ、カセット１０３ｂには、Ｘ０の位置（オフセット量＝０ｍｍ）、Ｘ２０の位置（オフセット量＝２０ｍｍ）に記録媒体２０４ｂ、記録媒体２０４ｃがそれぞれセットされている。このようにして、異なるオフセット量を有する複数の記録媒体保持部を用いることにより、記録媒体２０４を主走査方向（Ｘ方向）の異なる位置にセットすることができる。このとき、記録媒体２０４のそれぞれの記録媒体保持部での位置（Ｘ０、Ｘ１０、Ｘ２０）は、それぞれオフセット量（それぞれ１０ｍｍ）ずつずれている。
【００３８】
なお、図６はオフセット量の異なる複数の記録媒体保持部を有するインクジェットプリンタを示した一例であり、記録媒体保持部の設置数は３つに限ることはなく、例えば、オフセット量の異なる２つの記録媒体保持部を設置してもよく、あるいは３つ以上の記録媒体保持部を設置してもよい。また、例えば、２つの記録媒体保持部を設置する場合、オートシートフィーダーとカセットを１ずつ設置してもよいし、カセットを２つ設置してもよい。
【００３９】
［出力物の画像記録および給紙方法：図７］
次に、上記説明したインクジェットプリンタを用いて、ユーザー単位別に、ジョブ単位別に、あるいは部数単位別に仕分けが必要な出力物を、容易に選別する方法について説明する。
図７は本実施形態のインクジェットプリンタの機能を説明するブロック図である。インクジェットプリンタは、ホストＰＣに存在するプリンタドライバ７０１が生成した印刷ジョブを受信すると以下の手順に従い印刷を開始する。以下の動作は、ＲＯＭ内に格納されている制御プログラムに基づいて、ＣＰＵがＲＡＭおよび各部を制御しながら実行するものである。
【００４０】
まず、ホストＰＣから送られた印刷ジョブは、印刷ジョブ受信部７０２によって受信され、印刷ジョブ保持部７０３に保持される。
【００４１】
次に、印刷ジョブ保持部７０３に保持された印刷ジョブは、記録シーケンス決定部７０４によって、画像形成機構の動作シーケンスが組まれ、印刷ジョブ中のデータは、シーケンスにあった記録データに加工される。
【００４２】
次に、記録シーケンス決定部７０４により作成されたジョブ管理情報・記録シーケンス・記録データは、装置制御部７０５に送られる。装置制御部７０５は、画像記録装置全体の状態管理、起動終了などを管理するものであり、装置制御部７０５の仕分け判断部７０６は、記録シーケンス決定部７０４から受け取ったジョブ管理情報・記録シーケンス・記録データから、適切なオフセット単位を判断し、装置制御部７０５の給紙元決定部７０７は、給紙元情報把握部７１０が保持する給紙元情報から給紙元を決定する。ここで、給紙元情報把握部７１０は、上記説明した第１および第２の記録媒体保持部（オートシートフィーダー１０２、カセット１０３ａ、１０３ｂ）に保持されている各記録媒体の情報（記録用紙のサイズ・種類・オフセット量など）を収集把握し、管理している。ここでは、３つの記録媒体保持部の記録媒体オフセット部に、それぞれ下記のオフセット量がセットされているものとする。すなわち、オートシートフィーダー１０２の記録媒体保持部２０２には、オフセット量＝１０ｍｍで記録媒体２０４ａがセットされ、カセット１０３ａの記録媒体保持部４０２ａには、オフセット量＝０ｍｍで記録媒体２０４ａがセットされ、カセット１０３ｂの記録媒体保持部４０２ｂには、オフセット量＝２０ｍｍで記録媒体２０４ｂがセットされているものとする。
【００４３】
装置制御部７０５の給紙元決定部７０７では、印刷ジョブの切り替わりや、１つの印刷ジョブで同一画像を複数部出力する場合に部単位（仕分け単位）の切り替わりなどで、出力をオフセットして排紙すべきかどうかを判断し、オフセット量を加味した給紙元が決定される。
【００４４】
次に、給紙元決定部７０７で決定されたオフセット量が記録位置オフセット部７０８にセットされる。記録位置オフセット部７０８は、記録データを、指定されたオフセット量だけずらした位置から記録を行うために記録位置を補正する補正手段であり、あらかじめ所定量だけオフセットして各記録媒体保持部にセットされた記録媒体上のユーザが指定した正常な位置で記録を行うために不可欠な機構である。
【００４５】
次に、記録位置オフセット部にオフセット量がセットされた後、画像記録部が装置制御部７０６から記録シーケンス・記録データを受け取り、記録媒体に印刷を行う。
【００４６】
［給紙処理：図８〜１０］
図８〜図１０は、本実施形態のインクジェットプリンタにおいて、排紙オフセットを行う場合の給紙処理の一例を示した流れ図であり、図８は、印刷ジョブの先頭だけをオフセットする場合を、図９は印刷ジョブの先頭を区切りにオフセットする場合を、図１０は、各部（仕分け単位）の出力ごとにオフセットする場合を示したものである。
【００４７】
これらの処理は、予め制御プログラムとしてＲＯＭ１７０２に格納され、図８〜図１０のいずれかの処理を行うように予め設定されいるが、さらに、不図示の操作部からユーザが設定することもできるようにもなっている。そこで、ＭＰＵ１７０１は選択された制御プログラムに基づいて各部を制御しながら図８〜図１０のいずれかの処理を実行する。
【００４８】
以下、図８〜図１０の各場合についてそれぞれ説明する。
【００４９】
（印刷ジョブの先頭だけをオフセットする場合：図８）
まず、図８を用いて、印刷ジョブの先頭だけをオフセットする場合を説明する。
【００５０】
給紙処理を開始すると、まずステップＳ８０１において、各給紙元にアクセスし、設定されているオフセット量を検出し、各給紙元の設定条件（オフセット量）である給紙元情報を取得する。
【００５１】
次に、ステップＳ８０２において、ステップＳ８０１で取得した情報から、給紙元毎のオフセット量を示したテーブルを更新し（図１１に一例を示す給紙元オフセット量テーブルの作成）、現在のオフセット量を設定してからステップＳ８０３に進む。図１１の１８０１と１８０２は、作成された給紙元オフセット量テーブルの一例を示すケース１とケース２である。ケース１の場合は、図６のように給紙元として２つのカセットと１つのオートシートフィーダのそれぞれにオフセット量が０ｍｍ、２０ｍｍ、１０ｍｍが設定されている場合の例であり、ケース２は別の例である。以下の説明では、ケース１の場合、すなわち図６のように各給紙元のオフセット量が設定されている場合を例にとり説明する。
【００５２】
次に、ステップＳ８０３では、今回の給紙が印刷ジョブの先頭で有るかどうかを判断し、今回の給紙が印刷ジョブの先頭でないと判断された場合は何もしないでステップＳ８０７に進み、今回の給紙が印刷ジョブの先頭であると判断された場合は、ステップＳ８０４に進む。
【００５３】
ステップＳ８０４では、今まで給紙・排紙した印刷物と排紙位置をずらすために、カレントオフセット量（オフセット量の現在値）を変更する。例えば、前回の印刷ジョブで０ｍｍがカレントオフセット量として設定されていた場合には、給紙元オフセット量テーブルを参照して、カレントオフセット量を０ｍｍから、例えば、１０ｍｍに変更する。なお起動時には、カレントオフセット量（オフセット量の現在値）として初期値０ｍｍが入力されている。
【００５４】
次に、ステップＳ８０５に進み、ステップＳ８０４でカレントオフセット量を変更した後、変更されたカレントオフセット量に合致する給紙元を選択してからステップＳ８０６に進む。なお、ケース２のように、２つの給紙元が同じオフセット量であった場合には、そのどちらを選択するかを選択する方法としては、たとえば、順番に選択するという単純な方法でも良い。
【００５５】
次に、ステップＳ８０６では、ステップＳ８０４でカレントオフセット量を変更したので、その変更後の値を記録位置オフセット部７０８に設定してからステップＳ８０７に進む。この設定によって、給紙元に位置がズレた用紙がセットされていても、その用紙のズレに合わせて、適切な場所に印刷が可能となる。
【００５６】
次に、ステップＳ８０７では、選択した給紙元から給紙処理を行ってからステップＳ８０８に進み、給紙処理を終了する。なお上記説明した給紙処理が終了すると、引き続いて画像記録および排紙処理が行われる。
【００５７】
このようにして、複数の印刷ジョブがある場合、印刷ジョブの先頭だけをオフセットすることができるので、印刷ジョブごとの区切りを簡単に選別することができる。たとえば、上記のようにオフセット量が０ｍｍ、１０ｍｍ、２０ｍｍと設定されている場合には、印刷ジョブごとの区切りごとにオフセット量が０ｍｍ→１０ｍｍ→２０ｍｍと繰り返しながら印刷ジョブの先頭だけオフセットすることができる。
【００５８】
（印刷ジョブの先頭を区切りにオフセットする場合：図９）
次に、図９を用いて、印刷ジョブの先頭を区切りにオフセットする場合を説明する。
【００５９】
給紙処理を開始すると、まずステップＳ８０１において、各給紙元にアクセスし、設定されているオフセット量を検出し、各給紙元の設定条件（オフセット量）である給紙元情報を取得する。
【００６０】
次に、ステップＳ８０２において、ステップＳ８０１で取得した情報から、給紙元毎のオフセット量を示したテーブルを更新し（図１１に一例を示す給紙元オフセット量テーブルの作成）、現在のオフセット量を設定してからステップＳ８０３に進む。図１１の１８０１と１８０２は、作成された給紙元オフセット量テーブルの一例を示すケース１とケース２である。ケース１の場合は、図６のように給紙元として２つのカセットと１つのオートシートフィーダのそれぞれにオフセット量が０ｍｍ、２０ｍｍ、１０ｍｍが設定されている場合の例であり、ケース２は別の例である。以下の説明では、ケース１の場合、すなわち図６のように各給紙元のオフセット量が設定されている場合を例にとり説明する。
【００６１】
次に、ステップＳ８０３では、今回の給紙が印刷ジョブの先頭で有るかどうかを判断し、今回の給紙が印刷ジョブの先頭でないと判断された場合はステップＳ８０９に進み、今回の給紙が印刷ジョブの先頭であると判断された場合は、ステップＳ１８０４に進む。
【００６２】
ステップＳ１８０４では、今まで給紙・排紙した印刷物と排紙位置をずらすために、カレントオフセット量（オフセット量の現在値）を０ｍｍ以外の前回と異なる値に変更する。例えば、前回の印刷ジョブで１０ｍｍがカレントオフセット量として設定されていた場合には、給紙元オフセット量テーブルを参照して、カレントオフセット量を１０ｍｍから２０ｍｍに変更する。
【００６３】
次に、ステップＳ８０５に進み、ステップＳ１８０４でカレントオフセット量を変更した後、変更されたカレントオフセット量に合致する給紙元を選択してからステップＳ８０６に進む。なお、ケース２のように、２つの給紙元が同じオフセット量であった場合には、そのどちらを、たとえば、順番で選択する。
【００６４】
次に、ステップＳ８０６では、ステップＳ１８０４でカレントオフセット量を変更したので、その変更後の値を記録位置オフセット部７０８に設定してからステップＳ８０７に進む。この設定によって、給紙元に位置がズレた用紙がセットされていても、その用紙のズレに合わせて、適切な場所に印刷が可能となる。
【００６５】
一方、ステップＳ８０９では、印刷ジョブの先頭の場合とずらすために、給紙元オフセット量テーブルからオフセット量＝０ｍｍに合致する給紙元を選択してからステップＳ８１０に進む。次に、ステップＳ８１０では、ステップＳ８０９でカレントオフセット量を変更したので、その変更後の値を記録位置オフセット部７０８に設定してからステップＳ８０７に進む。
【００６６】
次に、ステップＳ８０７では、選択した給紙元から給紙処理を行ってからステップＳ８０８に進み、給紙処理を終了する。なお給紙処理の終了後、画像記録と記録処理が行われる。
【００６７】
このようにして、複数の印刷ジョブがある場合、印刷ジョブの先頭を区切りにオフセットすることができるので、印刷ジョブの先頭を区切りに簡単に選別することができる。
【００６８】
（各部（仕分け単位）の出力ごとにオフセットする場合：図１０）
次に、図１０を用いて、各部（仕分け単位）の出力ごとにオフセットしてから画像記録する処理について説明する。
【００６９】
画像記録処理を開始すると、まずステップＳ８０１において、各給紙元にアクセスし、設定されているオフセット量を検出し、各給紙元の設定条件（オフセット量）である給紙元情報を取得する。
【００７０】
次に、ステップＳ８０２において、ステップＳ８０１で取得した情報から、給紙元毎のオフセット量を示したテーブルを更新し（図１１に一例を示す給紙元オフセット量テーブルの作成）、現在のオフセット量を設定してからステップＳ８０３に進む。図１１の１８０１と１８０２は、作成された給紙元オフセット量テーブルの一例を示すケース１とケース２である。ケース１の場合は、図６のように給紙元として２つのカセットと１つのオートシートフィーダのそれぞれにオフセット量が０ｍｍ、２０ｍｍ、１０ｍｍが設定されている場合の例であり、ケース２は別の例である。以下の説明では、ケース１の場合、すなわち図６のように各給紙元のオフセット量が設定されている場合を例にとり説明する。
【００７１】
次に、ステップＳ８０３で給紙処理に入ると、ステップＳ８２１で給紙処理を開始し、次に、ステップＳ８０３に進み、今回の給紙が印刷ジョブの先頭で有るかどうかを判断し、今回の給紙が印刷ジョブの先頭でないと判断された場合はステップＳ８２２に進み、今回の給紙が印刷ジョブの先頭であると判断された場合は、ステップＳ８０４に進む。
【００７２】
ステップＳ１８０４では、今まで給紙・排紙した印刷物と排紙位置をずらすために、カレントオフセット量（オフセット量の現在値）を前回と異なる値に変更する。例えば、前回の印刷ジョブで２０ｍｍがカレントオフセット量として設定されていた場合には、給紙元オフセット量テーブルを参照して、カレントオフセット量を２０ｍｍから０ｍｍに変更する。
【００７３】
次に、ステップＳ８０５に進み、ステップＳ８０４でカレントオフセット量を変更した後、変更されたカレントオフセット量に合致する給紙元を選択してからステップＳ８０６に進む。なお、ケース２のように、２つの給紙元が同じオフセット量であった場合には、そのどちらを、たとえば、順番で選択する。
【００７４】
次に、ステップＳ８０６では、ステップＳ８０４でカレントオフセット量を変更したので、その変更後の値を記録位置オフセット部７０８に設定してからステップＳ８０７に進む。この設定によって、給紙元に位置がズレた用紙がセットされていても、その用紙のズレに合わせて、適切な場所に印刷が可能となる。
【００７５】
一方、ステップＳ８２２では、部単位の先頭か否かを調べ、部単位の先頭の場合にはステップＳ８０４に進み、上記説明したステップＳ８０４〜８０６処理を行ってからステップＳ８０７に進む。また、ステップＳ８２２で部単位の先頭でない場合には、何もしないでステップＳ８０７に進む。
【００７６】
ステップＳ８０７では、印刷ジョブの先頭の場合あるいは部単位の先頭の場合のみずらすために、選択された給紙元から給紙処理を行っててからステップＳ８０８に進み、給紙処理を終了した後、ステップＳ８２３に進む。
【００７７】
次に、ステップＳ８２３では、記録処理を行い、次に、ステップＳ８２４で排紙処理を行ってからステップＳ８２５に進む。
【００７８】
次に、ステップＳ８２５では、画像記録処理が終了した場合にはステップＳ８２６に進み一連の作業を終了し、画像記録処理が終了していない場合にはステップＳ８２０に戻り、上記説明した処理を継続して行う。
【００７９】
このようにして、複数の印刷ジョブがある場合、各部（仕分け単位）の出力ごとにオフセットすることができるので、各部（仕分け単位）ごとの区切りを簡単に選別することができる。
【００８０】
【他の実施形態】
本実施形態のインクジェットプリンタの代表的な構成や原理については、例えば、米国特許第４７２３１２９号明細書、同第４７４０７９６号明細書に開示されている基本的な原理を用いて行うものが好ましい。この方式は、いわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。
【００８１】
この気泡の成長、収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。
【００８２】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００８３】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書に記載された構成も本発明に含まれるものである。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００８４】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００８５】
加えて、上記の実施形態で説明した記録ヘッド自体に一体的にインクタンクが設けられたカートリッジタイプの記録ヘッドのみならず、装置本体に装着されることで、装置本体との電気的な接続や装置本体からのインクの供給が可能になる交換自在のチップタイプの記録ヘッドを用いてもよい。
【００８６】
また、以上説明した記録装置の構成に、記録ヘッドに対する回復手段、予備的な手段等を付加することは記録動作を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段などがある。また、記録とは別の吐出を行う予備吐出モードを備えることも安定した記録を行うために有効である。
【００８７】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００８８】
以上説明した実施の形態においては、インクが液体であることを前提として説明しているが、室温やそれ以下で固化するインクであっても、室温で軟化もしくは液化するものを用いても良く、あるいはインクジェット方式ではインク自体を３０°Ｃ以上７０°Ｃ以下の範囲内で温度調整を行ってインクの粘性を安定吐出範囲にあるように温度制御するものが一般的であるから、使用記録信号付与時にインクが液状をなすものであればよい。
【００８９】
加えて、積極的に熱エネルギーによる昇温をインクの固形状態から液体状態への状態変化のエネルギーとして使用せしめることで積極的に防止するため、またはインクの蒸発を防止するため、放置状態で固化し加熱によって液化するインクを用いても良い。いずれにしても熱エネルギーの記録信号に応じた付与によってインクが液化し、液状インクが吐出されるものや、記録媒体に到達する時点では既に固化し始めるもの等のような、熱エネルギーの付与によって初めて液化する性質のインクを使用する場合も本発明は適用可能である。
【００９０】
このような場合インクは、特開昭５４−５６８４７号公報あるいは特開昭６０−７１２６０号公報に記載されるような、多孔質シート凹部または貫通孔に液状または固形物として保持された状態で、電気熱変換体に対して対向するような形態としてもよい。本発明においては、上述した各インクに対して最も有効なものは、上述した膜沸騰方式を実行するものである。
【００９１】
なお、本発明は、例えば、装置、方法、プログラムもしくは記憶媒体などとしての実施態様を取ることが可能であり、具体的には、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【００９２】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。
【００９３】
この場合、記憶媒体から読み出されたプログラムコード自体が前述した実施形態の機能を実現することになり、そのプログラムコードを記憶した記憶媒体は本発明を構成することになる。
【００９４】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００９５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００９６】
本発明を上記記憶媒体に適用する場合、その記憶媒体には、先に説明した図８に示した処理を実現するプログラムが格納されることになる。
【００９７】
以上説明したように、本発明の本画像記録装置では、記録媒体保持部（カセット、オートシートフィーダ）は、収容する記録媒体の収容位置（オフセット量）を変更可能な構造となっており、さらに、収容した記録媒体の収容位置（オフセット量）をプリンタに登録できる構成、あるいは自動検知する構成となっている。そのため、仕分けが必要な場合には、投入される印刷ジョブに従い、印刷ジョブ毎にオフセット有り（あるいはオフセット量Ａ／Ｂ）／オフセット無しの各記録媒体保持部（カセット、オートシートフィーダ）を交互に選択して給紙に用いることができるとともに、各記録媒体保持部のオフセット量に応じて、記録開始位置をずらすことができる。そのため、ユーザー単位別に、ジョブ単位別に、あるいは部数単位別などに容易に仕分けをすることができる。
【００９８】
【発明の効果】
以上説明したように、本発明の画像記録装置によれば、あらかじめオフセットされてセットされている記録媒体を、記録データに応じて適切に選択し、選択された記録媒体に合わせて適切に記録位置を調整し、記録し排紙することができる。そのため、例えば、ユーザー単位別に、ジョブ単位別に、あるいは部数単位別などに仕分けが必要な出力物を大幅なコストアップを必要とする複雑な機構を用いずに、容易に選別することができる画像記録装置及びその制御方法を提供できる。
【図面の簡単な説明】
【図１】本発明の一実施形態の画像記録装置の記録媒体保持部（オートシートフィーダ、カセット）を説明する概略図である。
【図２】オートシートフィーダの所定位置（オフセット量＝０ｍｍ）へ記録媒体をセットする方法を説明する概略図である。
【図３】オートシートフィーダの所定位置（オフセット量＝１０ｍｍ）へ記録媒体をセットする方法を説明する概略図である。
【図４】カセットの所定位置（オフセット量＝０ｍｍ）へ記録媒体をセットする方法を説明する概略図である。
【図５】カセットの所定位置（オフセット量＝２０ｍｍ）へ記録媒体をセットする方法を説明する概略図である。
【図６】本発明の一実施形態の画像記録装置の記録媒体保持部（オートシートフィーダ、カセット）にそれぞれ記録媒体をオフセットさせてセットした状態を説明する概念図である。
【図７】本発明の一実施形態の画像記録装置の機能構成を示す簡略化したブロック図である。
【図８】本発明の一実施形態に係る画像記録装置でジョブの先頭だけを排紙オフセットする場合の給紙処理の一例を示す流れ図である。
【図９】本発明の一実施形態に係る画像記録装置でジョブの先頭を区切りに排紙オフセットする場合の給紙処理の一例を示す流れ図である。
【図１０】本発明の一実施形態に係る画像記録装置で各部（仕分け単位）の出力ごとに排紙オフセットする場合の給紙処理の一例を示す流れ図である。
【図１１】供給元オフセット量テーブルの一例を示す図である。
【図１２】本発明の代表的な実施形態であるインクジェットプリンタＩＪＲＡの外観斜視図である。
【図１３】インクジェットプリンタの制御回路の構成を示すブロック図である。
【図１４】インクタンクとヘッドとが分離可能なインクカートリッジＩＪＣの構成を示す外観斜視図である。
【符号の説明】
１０１  インクジェットプリンタ（画像記録装置）
１０２  記録媒体保持部（オートシートフィーダー）
１０３ａ  記録媒体保持部（カセット）
１０３ｂ  記録媒体保持部（カセット）
２０２  記録媒体オフセット部
２０３  紙押さえ版
２０４  記録媒体
２０５  オートシートフィーダーのオフセット量＝０ｍｍ位置
２０６  オートシートフィーダーのオフセット量＝１０ｍｍ位置
４０２  記録媒体オフセット部
４０３ａ  紙押さえ版
４０３ｂ  紙押さえ版
４０５  カセットのオフセット量＝０ｍｍ位置
４０６  カセットのオフセット量＝１０ｍｍ位置
４０７  カセットのオフセット量＝２０ｍｍ位置
６０１  オートシートフィーダー（オフセット量＝１０ｍｍ）
６０２  カセット（オフセット量＝０ｍｍ）
６０３  カセット（オフセット量＝２０ｍｍ）
７０１  プリンタドライバ
７０２  印刷ジョブ受信部
７０３  印刷ジョブ保持部
７０４  記録シーケンス決定部
７０５  装置制御部
７０６  仕分け判別部
７０７  給紙元決定部
７０８  記録位置オフセット部
７０９  画像記録部
７１０  給紙元情報把握部
４０２ａ  記録媒体オフセット部
４０２ｂ  記録媒体オフセット部
【図１】
2004338278.tif 000003
【図２】
2004338278.tif 000004
【図３】
2004338278.tif 000005
【図４】
2004338278.tif 000006
【図５】
2004338278.tif 000007
【図６】
2004338278.tif 000008
【図７】
2004338278.tif 000009
【図８】
2004338278.tif 000010
【図９】
2004338278.tif 000011
【図１０】
2004338278.tif 000012
【図１１】
2004338278.tif 000013
【図１２】
2004338278.tif 000014
【図１３】
2004338278.tif 000015
【図１４】
2004338278.tif 000016